(57)【特許請求の範囲】
【請求項１】
下部に配設した底壁で内部の収納部を遮蔽するカバー部材と、前記収納部内に収納されて前記カバー部材から外方に突出させた操作部を押圧操作可能なスライド部材とを備え、前記底壁は、前記収納部を第１、第２の２つの収納部に仕切る仕切壁を有し、前記スライド部材は、前記操作部を押圧操作することにより前記仕切壁に沿ってスライド可能な支持壁を有し、この支持壁を挟んで前記第１収納部側に第１可動接点を支持する第１接点支持部を形成すると共に、前記第２収納部側に第２可動接点を支持する第２接点支持部を形成し、前記第１可動接点は、板状で矩形状に形成され、短手方向における一方側に支点部が一対設けられており、前記第１接点支持部の前記支持壁側には、前記第１可動接点の前記支点部を支持可能な隙間を有する第１支持突起と第２支持突起とがそれぞれ一対設けられ、該第１支持突起と第２支持突起との前記隙間に前記支点部を位置させて前記第１可動接点の前記一方側を前記スライド部材の前記支持壁側に支持すると共に、前記第１接点支持部の前記支持壁と対向する側に形成した壁部材の下方には、前記支持壁側へ突出する鈎状のストッパー部が設けられており、このストッパー部の上部に前記第１可動接点の短手方向における他方側を位置させて該他方側を前記ストッパー部に上下動可能に支持させて、前記第１可動接点を前記第１接点支持部に配設し、前記第２可動接点は、線バネをコイル状に巻回した巻回部を有し、この巻回部から所定の開放角度を有して前記仕切壁に沿って外方に延びる一対の腕部を形成した捻りコイルバネからなり、前記第２接点支持部には、前記第１支持突起及び前記第２支持突起とは反対方向に突出した接点支持部が設けられ、該接点支持部に前記捻りコイルバネの前記巻回部を支持させて、前記第２可動接点を前記第２接点支持部に配設し、前記底壁は、前記第１収納部側に配設した前記第１可動接点が当接可能な第１固定端子と、前記第２収納部側に配設した前記第２可動接点が当接可能な第２固定端子とを有し、前記第１可動接点と前記第１固定端子とで第１スイッチ部を構成し、前記第２可動接点と前記第２固定端子とで第２スイッチ部を構成し、前記第１、第２スイッチ部を前記操作部の押圧操作方向と直交する並列方向に配設したことを特徴とするスイッチ装置。
【請求項２】
前記第１固定端子は、前記第１収納部側の前記底壁に所定間隔を有して一対配設し、前記スライド部材を前記押圧操作すると、前記第１可動接点の前記他方側が前記一対の第１固定端子に当接するようにしたことを特徴とする請求項１記載のスイッチ装置。
【請求項３】
前記第２固定端子は、前記第２収納部側の前記底壁に所定間隔を有して一対配設し、前記スライド部材を前記押圧操作すると、前記一対の腕部が前記一対の第２固定端子に当接するようにしたことを特徴とする請求項１または２記載のスイッチ装置。
【請求項４】
前記第１、第２固定端子は、前記第１、第２可動接点が当接可能な接点部とこの接点部から一方側に延びる端子部とをそれぞれ有し、この端子部を前記底壁に取り付けて、前記端子部の先端を前記底壁から外部に導出したことを特徴とする請求項１乃至３のいずれか１項記載のスイッチ装置。
【請求項５】
前記底壁の前記仕切壁は、前記スライド部材を前記仕切壁に沿ってスライド可能に支持するガイド部を形成したことを特徴とする請求項１乃至４のいずれか１項記載のスイッチ装置。
【請求項６】
前記スライド部材と前記底壁との間に第１コイルバネを配設し、前記スライド部材の前記押圧操作を解除すると、前記第１コイルバネの作用で前記スライド部材が前記押圧操作前の初期状態に自動復帰するようにしたことを特徴とする請求項１乃至５のいずれか１項記載のスイッチ装置。
【請求項７】
前記スライド部材は、前記押圧操作方向と平行方向に傾斜状の段差部を有する摺動面を形成し、この摺動面に圧接可能な板バネを前記底壁側に配設し、前記スライド部材を前記押圧操作して、前記板バネが前記段差部によって弾性変形することにより、前記押圧操作する押圧力が変化するようにしたことを特徴とする請求項１乃至６のいずれか１項記載のスイッチ装置。
【請求項８】
前記カバー部材と前記底壁とを別体で形成し、前記カバー部材は、前記収納部の下方が開放され、この開放された前記収納部の下方を前記底壁で遮蔽し、前記底壁と前記カバー部材との隙間部分を封止材で封止して、前記収納部の下方を密閉したことを特徴とする請求項１乃至７のいずれか１項記載のスイッチ装置。
【請求項９】
前記封止材は、前記底壁に取り付けた前記第１、第２固定端子の周囲にも塗布したことを特徴とする請求項８記載のスイッチ装置。
【請求項１０】
前記カバー部材から外部に突出する前記スライド部材の前記操作部上にドーム状のゴム部材を配設し、このゴム部材で前記収納部の上方を密閉したことを特徴とする請求項１乃至９のいずれか１項記載のスイッチ装置。
【請求項１１】
前記ゴム部材上に駆動棒を配設し、この駆動棒を前記ゴム部材に形成した圧入穴を介して前記スライド部材の前記操作部に固着したことを特徴とする請求項１０記載のスイッチ装置。
【発明の詳細な説明】
【０００１】
【発明の属する技術分野】
本発明は、電子機器の検出スイッチ付き電源スイッチとして使用されるスイッチ装置に係り、特に検出スイッチ部と電源スイッチ部とを同一のケースに収納した内蔵タイプのスイッチ装置の構造に関する。
【０００２】
【従来の技術】
従来の検出スイッチ付き電源スイッチの構造としては、既存の検出スイッチを電源スイッチの前部、または後部などに連結部材を使用して接続、固定して形成した外付けタイプのスイッチ装置や、電源スイッチ部の本体ケース内に既存の検出スイッチのスイッチ部を組み込んで形成した内蔵タイプのスイッチ装置が知られている。
【０００３】
前記外付けタイプのスイッチ装置は、既存の検出スイッチをそのまま使用し、検出スイッチの操作部となる操作レバーの形状を一部変更することによって、電源スイッチの操作部に連設されたスライド部材での押圧操作を可能とし、電源スイッチの操作部を押圧操作した場合に、検出スイッチも同時に操作されるように連結部によって連結された構造となっている。
この場合、電源スイッチ部と検出スイッチ部とは、それぞれ個別のケースに収納されて独立して形成されて、押圧操作方向と平行な直列方向に配設されたものとなっている。
【０００４】
また、内蔵タイプのスイッチ装置は、既存の検出スイッチから操作レバーおよびケース部分を削除して、スイッチ部を取り出し、このスイッチ部のみ電源スイッチのケース内に組み込んで形成したもので、電源スイッチ側のケースと、必要に応じて操作部となるスライド部材の形状を一部変更することによって、検出スイッチの切換を可能にしている。
この場合、電源スイッチ部と検出スイッチ部とは、同一のケース内に内蔵されて、連結部材などを使用しなくても操作可能になっている。そして、電源スイッチ部と検出スイッチ部とは、押圧操作方向と平行な直列方向に配設されている。
【０００５】
【発明が解決しようとする課題】
しかしながら、前述したような従来の検出スイッチ付き電源スイッチの構造においては、外付けタイプのスイッチ装置においては、既存の検出スイッチを連結部材などで電源スイッチの前後に連結していたため、検出スイッチ部の取付部の強度の問題、あるいは外付け時の寸法バラツキ等によるＯＮ検出位置のバラツキ等があった。また、部品点数の増加による組立作業性の低下でコストアップになる問題があった。
【０００６】
また、外付けタイプ、内蔵タイプの両方とも、操作部の押圧操作方向と平行な直列方向に電源スイッチと検出スイッチとを取り付けていたので、奥行き寸法が大きくなり、従来のスイッチ装置を取り付けた、例えば洗濯機等の装置側が大型になる問題があった。
【０００７】
本発明は前述したような問題点に鑑みてなされたもので、小型化が可能で、組立性を向上できると共に、防水機能も備えたスイッチ装置を提供することを目的とする。
【0008】
【課題を解決するための手段】
上記課題を解決するための第１の解決手段として本発明のスイッチ装置は、下部に配設した底壁で内部の収納部を遮蔽するカバー部材と、前記収納部内に収納されて前記カバー部材から外方に突出させた操作部を押圧操作可能なスライド部材とを備え、前記底壁は、前記収納部を第１、第２の２つの収納部に仕切る仕切壁を有し、前記スライド部材は、前記操作部を押圧操作することにより前記仕切壁に沿ってスライド可能な支持壁を有し、この支持壁を挟んで前記第１収納部側に第１可動接点を支持する第１接点支持部を形成すると共に、前記第２収納部側に第２可動接点を支持する第２接点支持部を形成し、前記第１可動接点は、板状で矩形状に形成され、短手方向における一方側に支点部が一対設けられており、前記第１接点支持部の前記支持壁側には、前記第１可動接点の前記支点部を支持可能な隙間を有する第１支持突起と第２支持突起とがそれぞれ一対設けられ、該第１支持突起と第２支持突起との前記隙間に前記支点部を位置させて前記第１可動接点の前記一方側を前記スライド部材の前記支持壁側に支持すると共に、前記第１接点支持部の前記支持壁と対向する側に形成した壁部材の下方には、前記支持壁側へ突出する鈎状のストッパー部が設けられており、このストッパー部の上部に前記第１可動接点の短手方向における他方側を位置させて該他方側を前記ストッパー部に上下動可能に支持させて、前記第１可動接点を前記第１接点支持部に配設し、前記第２可動接点は、線バネをコイル状に巻回した巻回部を有し、この巻回部から所定の開放角度を有して前記仕切壁に沿って外方に延びる一対の腕部を形成した捻りコイルバネからなり、前記第２接点支持部には、前記第１支持突起及び前記第２支持突起とは反対方向に突出した接点支持部が設けられ、該接点支持部に前記捻りコイルバネの前記巻回部を支持させて、前記第２可動接点を前記第２接点支持部に配設し、前記底壁は、前記第１収納部側に配設した前記第１可動接点が当接可能な第１固定端子と、前記第２収納部側に配設した前記第２可動接点が当接可能な第２固定端子とを有し、前記第１可動接点と前記第１固定端子とで第１スイッチ部を構成し、前記第２可動接点と前記第２固定端子とで第２スイッチ部を構成し、前記第１、第２スイッチ部を前記操作部の押圧操作方向と直交する並列方向に配設したことを特徴とする。
【００１０】
また、上記課題を解決するための第２の解決手段として、前記第１固定端子は、前記第１収納部側の前記底壁に所定間隔を有して一対配設し、前記スライド部材を前記押圧操作すると、前記第１可動接点の前記他方側が前記一対の第１固定端子に当接するようにしたことを特徴とする。
【００１２】
また、上記課題を解決するための第３の解決手段として、前記第２固定端子は、前記第２収納部側の前記底壁に所定間隔を有して一対配設し、前記スライド部材を前記押圧操作すると、前記一対の腕部が前記一対の第２固定端子に当接するようにしたことを特徴とする。
【００１３】
また、上記課題を解決するための第４の解決手段として、前記第１、第２固定端子は、前記第１、第２可動接点が当接可能な接点部とこの接点部から一方側に延びる端子部とをそれぞれ有し、この端子部を前記底壁に取り付けて、前記端子部の先端を前記底壁から外部に導出したことを特徴とする。
【００１４】
また、上記課題を解決するための第５の解決手段として、前記底壁の前記仕切壁は、前記スライド部材を前記仕切壁に沿ってスライド可能に支持するガイド部を形成したことを特徴とする。
【００１５】
また、上記課題を解決するための第６の解決手段として、前記スライド部材と前記底壁との間に第１コイルバネを配設し、前記スライド部材の前記押圧操作を解除すると、前記第１コイルバネの作用で前記スライド部材が前記押圧操作前の初期状態に自動復帰するようにしたことを特徴とする。
【００１６】
また、上記課題を解決するための第７の解決手段として、前記スライド部材は、前記押圧操作方向と平行方向に傾斜状の段差部を有する摺動面を形成し、この摺動面に圧接可能な板バネを前記底壁側に配設し、前記スライド部材を前記押圧操作して、前記板バネが前記段差部によって弾性変形することにより、前記押圧操作する押圧力が変化するようにしたことを特徴とする。
【００１７】
また、上記課題を解決するための第８の解決手段として、前記カバー部材と前記底壁とを別体で形成し、前記カバー部材は、前記収納部の下方が開放され、この開放された前記収納部の下方を前記底壁で遮蔽し、前記底壁と前記カバー部材との隙間部分を封止材で封止して、前記収納部の下方を密閉したことを特徴とする。
【００１８】
また、上記課題を解決するための第９の解決手段として、前記封止材は、前記底壁に取り付けた前記第１、第２固定端子の周囲にも塗布したことを特徴とする。
【００１９】
また、上記課題を解決するための第１０の解決手段として、前記カバー部材から外部に突出する前記スライド部材の前記操作部上にドーム状のゴム部材を配設し、このゴム部材で前記収納部の上方を密閉したことを特徴とする。
【００２０】
また、上記課題を解決するための第１１の解決手段として、前記ゴム部材上に駆動棒を配設し、この駆動棒を前記ゴム部材に形成した圧入穴を介して前記スライド部材の前記操作部に固着したことを特徴とする。
【００２１】
【発明の実施の形態】
以下、本発明の一実施の形態を図１乃至図６に示す。図１は本発明の一実施の形態のスイッチ装置の斜視図であり、図２はその分解斜視図であり、図３は本発明に係わるスライド部材の上面図であり、図４は本発明に係わるスライド部材の正面図であり、図５は図４の下面図であり、図６は図５の６−６断面図であり、図７は図４の右側面図であり、図８は本発明のスイッチ装置の要部断面図である。
【００２２】
本発明のスイッチ装置は、図２に示すように、最下部には形状が略矩形状の底壁１が配設されており、この底壁１は、樹脂材料等の絶縁材からなり、後述するカバー部材１３内部の収納部１４の開放された下方を遮蔽可能になっている。
前記底壁１の略中央部には、後述するカバー部材１３内部の収納部１４を２つに仕切る仕切壁１ａが、所定高さで立設されている。また仕切壁１ａの前後方向のそれぞれの端部には、コ字状の溝からなるガイド部１ｂが互いに対向して形成され、このガイド部１ｂで後述するスライド部材６をスライド可能にガイドするようになっている。
また、仕切壁１ａの中央部近傍で図示左側には、小判形状に形成された棒状のバネ支持部１ｃが、仕切壁１ａより低い高さで立設されている。また、仕切壁１ａの中央部には所定の幅寸法の切欠き溝１ｄが形成されている。
【００２３】
また、底壁１は、金属板を折り曲げ形成した第１、第２固定端子２、３が、それぞれ一対圧入されて一体化されている。
前記第１、第２固定端子２、３は、底壁１の上面から露出する接点部２ａ、３ａと、この接点部２ａ、３ａから一方側に略Ｌ字状に折り曲げられて、図示下方側に延びる端子部２ｂ、３ｂとを有し、この端子部２ｂ、３ｂが底壁１に形成した圧入穴１ｆに圧入されて、端子部２ｂ、３ｂの先端部が底壁１の裏面から外部に突出している。
また、第１固定端子２の接点部２ａには、後述する導体板からなる第１可動接点１０との導通を確実にするための接点部材２ｃがそれぞれカシメ、または圧入等により固着されている。
【００２４】
また、底壁１の棒状のバネ支持部１ｃには、板バネ４と第１コイルバネ５とが装着可能になっている。前記板バネ４は、図２に示すように、バネ支持部１ｃに挿通可能な小判形状の支持穴４ａを中央部に形成した基部４ｂと、この基部４ｂの両端部を互いに対向させて上方に折り曲げた一対の腕部４ｃとからなり、腕部４ｃ先端には、互いに対向させて内側に円弧状に突出させた摺動部４ｄが形成されている。
そして、互いに対向する腕部４ｃの間隔寸法は、基部４ｂ側よりも先端部の摺動部４ｄ側をマイナスさせて形成している。
前記板バネ４は、小判形状の支持穴４ａを小判形状のバネ支持部１ｃに挿通させると、底壁１上面の所定位置に位置決めされて装着可能になっている。
【００２５】
また、底壁１上面に装着した板バネ４の支持穴４ａから上方に突出するバネ支持部１ｃには、圧縮コイルバネからなる第１バネ５が装着可能になっている。
また、底壁１は、仕切壁１ａの両端部に形成した溝状のガイド部１ｂに、樹脂材料等の絶縁材料からなるスライド部材６が、図示上下方向に仕切壁１ａに沿ってスライド可能にガイドされている。
前記スライド部材６を図３〜図７で説明すると、スライド部材６は、図４の正面図に示すように、略中央部には、所定厚さの支持壁６ａが形成され、この支持壁６ａの上面から上方に突出する棒状の操作部６ｂが所定の高さで形成されている。この操作部６ｂには、後述する駆動棒１６を圧入可能な圧入穴６ｃが所定の穴径と深さで形成されている。
また、支持壁６ａには、図３に示す上下方向の上方側の一端面６ｄと下方側の他端面６ｅから、板状のガイド部６ｆがそれぞれ突出形成され、このガイド部６ｆが、底壁１のガイド部１ｂにスライド自在にガイド可能になっている。
【００２６】
また、図４に示す支持壁６ａの左側には、後述する第１可動接点１０を支持可能な第１接点支持部７が形成されている。この第１接点支持部７は、支持壁６ａの上部から図示左側に屋根状に延びる壁部材７ａが形成されて、内部が空洞状になっている。また、第１接点支持部７は、ガイド部６ｆを形成した支持壁６ａのそれぞれの端面６ｄ、６ｅに、後述する第１可動接点１０の支点部１０ｂを支持可能な一対の第１、第２支持突起７ｂ、７ｃが形成されている。
【００２７】
この第１、第２支持突起７ｂ、７ｃは、図４に示すように、所定寸法の隙間を設けて形成され、この隙間部分に後述する第１可動接点１０の支点部１０ｂを支持可能になっている。
また、第１接点支持部７は、支持壁６ａと対向する側の壁部材７ａの下方側に鈎状のストッパー部７ｄが形成されている。このストッパー部７ｄは、壁部材７ａの下方内面から支持壁６ａ方向である内側に突出形成されている。
また、第１接点支持部７を構成する壁部材７ａの天井面には、後述する第２コイルバネ１１を支持可能なバネ支持穴７ｅが所定深さで略矩形状に形成されている。
【００２８】
また、図４に示すように、支持壁６ａの右側には、後述する第２可動接点１１を支持可能な第２接点支持部８が形成されている。
この第２接点支持部８は、支持壁６ａの上部から図示右側に略Ｌ字状のバネ支持部８ａが形成され、このバネ支持部８ａと支持壁６ａとの間に所定幅寸法のガイド溝８ｂが形成されている。
また、ガイド溝８ｂの上部には、底壁１の仕切壁１ａに形成した切欠き溝１ｄに係合してスライド可能な係合部８ｃが形成されている。
【００２９】
また、バネ支持部８ａの下方側には、後述する捻りコイルバネからなる第２可動接点１１の巻回部１１ａを支持可能な棒状の接点支持部８ｄが突出形成されている。また、スライド部材６は、図３に示すように、接点支持部８ｄの上下に、バネ支持部８ａからの突出寸法がそれぞれ異なる一対のバネ係止部８ｅ、８ｆが形成されている。
このそれぞれのバネ係止部８ｅ、８ｆは、図４に示すように、先端部が鈎状に形成されて、後述する捻りコイルバネからなる第２可動接点１１の腕部１１ｂを係止可能になっている。
【００３０】
また、図５の下面図に示すスライド部材６の下面側で、支持壁６ａの略中央部には、所定の穴径寸法のバネ支持穴６ｇが形成されている。このバネ支持穴６ｇは、深さが図６に示すように、第１接点支持部７の壁部材７ａの天井面近傍まで形成されている。
また、図５に示す支持壁６ａに形成したバネ支持穴６ｇの上下には、板バネ４の腕部４ｃを収納可能な板バネ収納部９が所定深さで形成されている。
この板バネ収納部９は、図７に示すように、下部側に所定の幅寸法で対向する第１摺動面９ａと、上部側に第１摺動面９ａの幅寸法より幅広の寸法で対向する第２摺動面９ｂとが形成され、第１摺動面９ａと第２摺動面９ｂとを連結する段差部９ｃが傾斜状に形成されている。
【００３１】
そして、図７に示すように、板バネ収納部９に、２点鎖線で示す板バネ４の腕部４ｃを収納すると、板バネ４のそれぞれの摺動部４ｄ、４ｄが第１摺動面９ａに圧接する。この状態で、スライド部材６を押圧操作して下方に降下させると、段差部９ｃに摺動部４ｄが乗り上げて、板バネ４が弾性変形する。この時、スライド部材６を押圧操作する操作力が変化し、この操作力の変化で操作者がクリック感を感じることができるようになっている。
また、スライド部材６の第１接点支持部７には、平板状で略長方形の第１可動接点１０が支持可能になっている。この第１可動接点１０は、金属板等の導電性部材からなり、図２に示すように、平坦状で略長方形状の基部１０ａを有し、この基部１０ａの長手方向の両端部から一方側に突出する舌片状の支点部１０ｂが一対形成されている。
【００３２】
そして、それぞれの支点部１０ｂ、１０ｂが、スライド部材６の第１、第２支持突起７ｂ、７ｃの間に支持可能になっている。
また、第１可動接点１０は、基部１０ａの略中央部に円形状で所定深さのバネ受け部１０ｃが形成されている。また、一対の支点部１０ｂ近傍の基部１０ａには、円形状の接点部１０ｄが図示下方側に形成されている。
【００３３】
また、支点部１０ｂを形成した側と反対側の基部１０ａの他方側１０ｅが、スライド部材６のストッパー部７ｄに支持可能になっている。
また、第１可動接点１０のバネ受け部１０ｃには、図２に示すような圧縮コイルバネからなる第２コイルバネ１１が位置するようになっており、この第２コイルバネ１１の上端部は、スライド部材６の壁部材７ａの天井面に形成したバネ支持穴７ｅに支持されて、第１可動接点１０を下方側に弾性付勢するようになっている。
このような第２コイルバネ１１に弾性付勢された第１可動接点１０は、支点部１０ｂが第１、第２支持突起７ｂ、７ｃの間に支持され、支点部１０ｂと反対側の基部１０ａの他方側１０ｅが鈎状のストッパー部７ｂに支持されて、スライド部材６に保持されている。
【００３４】
そして、第１可動接点１０、および一対の第１固定端子２とで、電源スイッチである第１スイッチ部が構成されており、スライド部材６を押圧操作して降下させると、第１可動接点１０の一対の接点部１０ｄ、１０ｄが、第１固定端子２のそれぞれの接点部材２ｃ、２ｃに当接するようになっている。
このことにより、一対の第１固定端子２、２が第１可動接点１０を介して導通して、第１スイッチ部がＯＮするようになっている。
【００３５】
また、スライド部材６の第２接点支持部８には、捻りコイルバネからなる第２可動接点１２が支持されている。この第２可動接点１２は、図２に示すように、ピアノ線等からなる線バネを複数回巻回した巻回部１２ａを有し、この巻回部１２ａから所定の開放角度αを有して外方に直線状に延びる２本の腕部１２ｂ、１２ｂが形成されている。
そして、第２可動接点１２は、巻回部１２ａを第２接点支持部８の接点支持部８ｄに支持すると共に、一方の腕部１２ｂを一方のバネ係止部８ｅの、他方の腕部１２ｂを他方のバネ係止部８ｆに係止するようになっている。  そして、第２可動接点１２と一対の第２固定端子３とで、検出スイッチである第２スイッチ部が構成されており、スライド部材６を押圧操作して第２可動接点１２を降下させると、２本の腕部１２ｂ、１２ｂが一対の第２固定端子３、３に当接する。
このことにより、一対の第２固定端子３、３が第２可動接点１２を介して導通して、第２スイッチ部がＯＮするようになっている。
【００３６】
また、底壁１の上方には、底壁１の上方を覆うカバー部材１３が配設されている。このカバー部材１３は、周囲が外周壁１３ａで囲まれると共に、上部が天井壁１３ｂで覆われており、内部にスライド部材６等を収納可能な空洞状の収納部１４が形成されている。
この空洞部１４は、下方が開放されており、この下方の開放部分に底壁１が嵌合可能になっている。
また、カバー部材１３は、上部の天井部１３ｂ中央部に、後述するゴム部材１５を取り付けるための円弧状の溝部１３ｃが形成され、この溝部１３ｃの外周に所定厚さで壁状のカシメ部１３ｄが、所定高さで突出形成されている。
また、円弧状の溝部１３ｃの内側には、スライド部材６の操作部６ｂが挿通可能な貫通穴１３ｅが、所定の穴径で形成されている。
【００３７】
また、天井部１３ｂの溝部１３ｃには、図２に示すように、内部が空洞になったドーム状のゴム部材１５が配設されている。このゴム部材１５は、ドーム状の外周壁１５ａと、この外周壁１５ａ下部の外周部に形成した所定厚さの鍔部１５ｂとで構成されている。また、ドーム状の外周壁１５ａの頂部には、後述する駆動棒１６を圧入可能な圧入穴１５ｃが貫通形成されている。
このようなゴム部材１５は、鍔部１５ｂを溝部１３ｃに位置させて状態で、カシメ部１３ｄを内側に倒し込むようにカシメ付けることにより、カバー部材１３に一体化されている。
また、駆動棒１６は、円盤状の操作部１６ａと、ゴム部材１５の圧入穴１５ｃおよびスライド部材６の圧入穴６ｃに圧入可能な棒状の圧入部１９ｂとからなり、形状がコマ状になっている。
【００３８】
このように構成された本発明のスイッチ装置の組立は、まず底壁１に第１、第２固定端子２、３のそれぞれの端子部２ｂ、３ｂを圧入する。次に、底壁１のバネ支持部１ｃに、板バネ４を挿通して装着すると共に、板バネ４の基部４ｂ上に第１コイルバネ５を挿通して装着する。
また、スライド部材６は、第１接点支持部７に第１可動接点１０を支持すると共に、第１可動接点１０のバネ受け部１０ｃとスライド部材６のバネ支持穴７ｅとに第２コイルバネ１１の両端部を装着する。
【００３９】
すると、第１可動接点１０は、第１、第２支持突起７ｃ、７ｄの間に位置する支点部１０ｂを支点として、他方側１０ｅがストッパー部７ｄに支持されて、スライド部材６に装着される。
また、スライド部材６の第２接点支持部８に、捻りコイルバネからなる第２可動接点１２を装着する。
このような、第１、第２可動接点１０、１２を装着したスライド部材６は、支持壁６ａの両端部６ｄ、６ｅから突出するガイド部６ｆを、底壁１のガイド部１ｂに嵌合させた状態で、上方からゴム部材１５をカシメ付けたカバー部材１３をかぶせて、カバー部材１３の下方の開放部分に底壁１を圧入することにより、カバー部材１３に底壁１が仮止めされる。
【００４０】
すると、スライド部材６の操作部６ｂがカバー部材１３の貫通穴１３ｅから上方に突出して、ゴム部材１５のドーム状の外周壁１５ａ内部に位置する。
次に、駆動棒１６の圧入部１６ｂをゴム部材１５の圧入穴１５ｃと、スライド部材６の圧入穴６ｃとに圧入することにより、カバー部材１３内部の収納部１４の上方が密閉される。
そのために、カバー部材１３の上方から収納部１４への水等の侵入を防ぐことができる。
【００４１】
また、図８に示すように、底壁１の外周部とカバー部材１３の外周壁、および第１、第２固定端子２、３と底壁１の圧入穴１ｆとのそれぞれの隙間を、エポキシ樹脂等の接着剤からなる封止材１７で封止することにより、内部の収納部１４の下方側が密閉されて、底壁１側からの水等の侵入を防ぐことができる。
【００４２】
このように組み立てられた本発明のスイッチ装置は、内部の収納部１４が、図８に示すように、底壁１の仕切壁１ａで２つに仕切られて、図示左側に第１収納部１８、図示右側に第２収納部１９が形成されている。
そして、第１収納部１８に第１可動接点１０を支持した第１スイッチ部が形成され、第２収納部１９に第２可動接点１２を支持した第２スイッチ部が形成されている。
【００４３】
このような構成の本発明のスイッチ装置の操作は、図８に示すように、スライド部材６が上方に位置して、第１、第２スイッチ部がＯＦＦした初期状態から、操作者が駆動棒１６を下方に押圧して、スライド部材６を降下させると、スライド部材６の第１摺動面９ａに位置していた板バネ４の摺動部４ｄが、板バネ収納部９の傾斜状の段差部９ｃを摺動して、駆動棒１６に加えていた押圧力が増大すして、更にスライド部材６が下方に押圧されて、摺動部４ｃが第２摺動面９ｂに位置する。この時、スライド部材６を押圧操作していた操作力が急激に小さくなって、スライド部材６を押圧操作している操作者が、クリック感を感じることができる。
【００４４】
このクリック感を感じ取ると同時に、第１可動接点１０の接点部１０ｄが第１固定端子２の接点部材２ｃ、２ｃに当接して、一対の第１固定端子２、２が第１可動接点１０を介して導通し、第１スイッチ部がＯＮされる。
また、同時に第２可動接点１２の巻回部１２ａから延びる一対の腕部１２ｂ、１２ｂが第２固定端子３の接点部３ａ、３ａに当接して、一対の第２固定端子３、３が第２可動接点１２を介して導通し、第２スイッチ部がＯＮされる。
この時、電源スイッチである第１スイッチ部側に通電される電圧が、例えば１００Ｖ等の高電圧で、スイッチＯＮ時にアークが発生したとしても、第１収納部１８、第２収納部１９の間が仕切壁１ａで遮蔽されているので、発生したアークが第２収納部１９に飛び込むことがない。そのために、第２スイッチ部が接点不良等になることがない。
【００４５】
この第１、第２スイッチ部がＯＮ状態から、駆動棒１６の押圧を解除すると、スライド部材６が、第１コイルバネ５の付勢力で、上方に押し上げられて、図８に示す初期状態に自動復帰し、第１、第２スイッチ部がＯＦＦされる。
このような本発明のスイッチ装置は、仕切壁１ａで仕切られた第１収納部１８に第１スイッチ部を、第２収納部１９に第２スイッチ部を配設している。
即ち、操作部６ｂの押圧操作方向と直交する並列方向に第１、第２スイッチ部を配設したので、奥行き寸法を小さくすることができる。
また、本発明のスイッチ装置は、スライド部材６に第１、第２可動接点１０、１２を支持するようになっているので、部品点数を削減することができる。
【００４６】
【発明の効果】
以上説明したように、本発明のスイッチ装置は、第１、第２スイッチ部を前記操作部の押圧操作方向と直交する並列方向に配設したので、奥行き寸法を小さくすることができ、小型のスイッチ装置を提供できる。
【００４７】
また、第１可動接点は、板状で矩形状に形成され、一方側をスライド部材の支持壁側に支持し、他方側を支持壁と対向する側に形成した壁部材に上下動可能に支持したので、第１可動接点が第１固定端子に当接後も、スライド部材をスライドさせることができ、スライド部材のストロークをオーバーストロークとすることができる。
【００４８】
また、第１固定端子は、第１収納部側の底壁に所定間隔を有して一対配設し、スライド部材を押圧操作すると、第１可動接点の他方側が一対の第１固定端子に当接するようにしたので、一対の第１固定端子と１個の第１可動接点とで第１スイッチ部を構成することができ、構造が簡単で部品点数の少ないスイッチ装置を提供できる。
【００４９】
また、第２可動接点は、線バネをコイル状に巻回した巻回部を有し、この巻回部から所定の開放角度を有して外方に延びる一対の腕部を形成した捻りコイルバネからなるので、一対の腕部が第２固定端子に当接後も、スライド部材をスライドさせることができ、スライド部材のストロークをオーバーストロークとすることができる。
【００５０】
また、第２固定端子は、第２収納部側の底壁に所定間隔を有して一対配設し、スライド部材を押圧操作すると、一対の腕部が一対の第２固定端子に当接するようにしたので、一対の第２固定端子と１個の捻りコイルバネから成る第２可動接点とで第２スイッチ部を構成することができ、構造が簡単で部品点数の少ないスイッチ装置を提供できる。
【００５１】
また、第１、第２固定端子は、第１、第２可動接点が当接可能な接点部と、この接点部から一方側に延びる端子部とをそれぞれ有し、この端子部を底壁に取り付けて、端子部の先端を底壁から外部に導出したので、この底壁から外部に導出する端子部を、装置側の基板等にハンダ付け等で取り付けることができ、装置側への取付が容易なスイッチ装置を提供できる。
【００５２】
また、底壁の仕切壁は、スライド部材を仕切壁に沿ってスライド可能に支持するガイド部を形成したので、スライド部材をスムーズにスライドさせることができ、操作性の良いスイッチ装置を提供できる。
【００５３】
また、スライド部材と底壁との間に第１コイルバネを配設し、スライド部材の押圧操作を解除すると、第１コイルバネの作用でスライド部材が押圧操作前の初期状態に自動復帰するようにしたので、更に操作性の良いスイッチ装置を提供できる。
【００５４】
また、スライド部材は、押圧操作方向と平行方向に傾斜状の段差部を有する摺動面を形成し、この摺動面に圧接可能な板バネを底壁側に配設し、スライド部材を押圧操作して、板バネが段差部によって弾性変形することにより、押圧操作する押圧力が変化するようにしたので、押圧力が変化することでクリック感を感じることができ、操作性の良いスイッチ装置を提供できる。
【００５５】
また、カバー部材と底壁とを別体で形成し、カバー部材は、収納部の下方が開放され、この開放された収納部の下方を底壁で遮蔽し、底壁とカバー部材との隙間部分を封止材で封止して、収納部の下方を密閉したので、底壁側からの水等の液体の侵入を防ぐことができる。
【００５６】
また、封止材は、底壁に取り付けた前記第１、第２固定端子の周囲にも塗布したので、更に底壁側の防水構造を確実にすることができる。
【００５７】
また、カバー部材から外部に突出するスライド部材の操作部上にドーム状のゴム部材を配設し、このゴム部材で収納部の上方を密閉したので、カバー部材の上方からも水等の液体が侵入するのを防ぐことができ、確実な防水構造のスイッチ装置を提供できる。
【００５８】
また、ゴム部材上に駆動棒を配設し、この駆動棒をゴム部材に形成した圧入穴を介してスライド部材の操作部に固着したので、駆動棒を押圧操作することにより、スライド部材をスライドさせることができ、操作性の良いスイッチ装置を提供することができる。
【図面の簡単な説明】
【図１】本発明の一実施の形態のスイッチ装置の斜視図である。
【図２】本発明のスイッチ装置の分解斜視図である。
【図３】本発明に係わるスライド部材の上面図である。
【図４】本発明に係わるスライド部材の正面図である。
【図５】図４の下面図である。
【図６】図５の６−６断面図である。
【図７】図４の右側面図である。
【図８】本発明のスイッチ装置の要部断面図である。
【符号の説明】
１  底壁
１ａ  仕切壁
１ｂ  ガイド部
１ｃ  バネ支持部
２  第１固定端子
３  第２固定端子
４  板バネ
４ｃ  腕部
４ｄ  摺動部
５  第１コイルバネ
６  スライド部材
６ａ  支持壁
６ｂ  操作部
７  第１接点支持部
７ａ  壁部材
７ｂ  第１支持突起
７ｃ  第２支持突起
７ｄ  ストッパー部
７ｅ  バネ支持部
８  第２接点支持部
９  板バネ収納部
９ａ  第１摺動面
９ｂ  第２摺動面
９ｃ  段差部
１０  第１可動接点
１０ａ  基部
１０ｂ  支点部
１０ｃ  バネ受け部
１１  第２コイルバネ
１２  第２可動接点
１２ａ  巻回部
１２ｂ  腕部
１３  カバー部材
１３ｂ  天井壁
１３ｄ  カシメ部
１４  収納部
１４ａ  第１収納部
１４ｂ  第２収納部
１５  ゴム部材
１５ａ  外周壁
１５ｂ  鍔部
１６  駆動棒
１６ａ  操作部
１７  封止剤
１８  第１収納部
１９  第２収納部
【図１】
0004097458.tif 000002
【図２】
0004097458.tif 000003
【図３】
0004097458.tif 000004
【図４】
0004097458.tif 000005
【図５】
0004097458.tif 000006
【図６】
0004097458.tif 000007
【図７】
0004097458.tif 000008
【図８】
0004097458.tif 000009